(57)【特許請求の範囲】
【請求項１】
全長にわたり光ディスク等のディスクのセンターハブに形成された嵌合孔の内径よりも小径に形成され且つ回転自在に支持されたシャフトと、前記シャフトを嵌合するためのシャフト嵌合孔が貫通形成され、外径を前記センターハブの嵌合孔に嵌合するように形成され且つ光ディスク等のディスクを載置するためのディスク位置決め部が突設されたターンテーブルとを備え、前記シャフトとディスク位置決め部の各上端部には、互いに同じ円錐角度のディスクガイド面が形成され、前記シャフトの上端部に、前記シャフトのディスクガイド面を前記ターンテーブルのディスク位置決め部の上方に前記シャフトの上端部が所要長さだけ突出した状態で嵌合し、前記ターンテーブルを固定するとともに、そのシャフトの周囲に駆動用コイルを配設し、また、上記ターンテーブルの下面に垂設された円筒形のロータ内周面に、上記駆動用コイルと所要の間隔を保持して駆動用マグネットを対設してなるディスク駆動装置において、
前記ターンテーブルは、前記ディスクガイド面の下部に前記センターハブの嵌合孔が嵌合される嵌挿部が形成され、
前記嵌挿部は、前記センターハブの嵌合孔の内径に一致する外径形状で、且つ嵌合された前記ディスクのセンターハブの嵌合孔の縁部と略一致する高さで形成され、
前記シャフトとターンテーブルとは、それらのディスクガイド面どうしが隙間なく略連続して且つ略面一となるように嵌合されていることを特徴とするディスク駆動装置。
【発明の詳細な説明】
【０００１】
【発明の属する技術分野】
本発明は、例えば光ディスク、光磁気ディスク等のディスクを回転駆動するためのディスク駆動装置に関する。
【０００２】
【従来の技術】
従来、光ディスクや光磁気ディスク等のディスクを回転駆動するためのディスク駆動装置においては、上記ディスクの最内周位置における記録／再生動作を行う際、ピックアップのハウジングが、ロータの外周面に当接することを回避するために、図４〜７に示すような、ロータの外径を小さくした下記のディスク駆動装置が提案されている。
【０００３】
図４は、従来のディスク駆動装置の一例を示す半断面図、図５は、従来のディスク駆動装置の他例を示す部分断面図、図６は、従来のディスク駆動装置のさらに他例を示す部分断面図、図７は、図６に包囲線Ｉで示す部分の拡大図である。
【０００４】
図４に示すディスク駆動装置は、ベース板金１に立設された軸受けホルダ２内に、軸受け３,３を介して回転自在に支持されかつ上端部にターンテーブル４を固定したシャフト５、上記軸受けホルダ２の外周面に配設された駆動用コイル６、及び上記ターンテーブル４の下面に垂設された円筒形のロータ７内周面に、上記駆動コイル６と所要の間隔を保持して対設された駆動用マグネット８からなるものである。
【０００５】
シャフト５は、これの全長にわたり、ディスク９の中心に取着したセンターハブ１０の嵌合孔１０ａに一致する直径にして形成されたストレート形のものである。
ターンテーブル４は、シャフト５の外径に一致する内径にした嵌合孔４ａを形成したものであり、それの上面には、ディスク９のセンターハブ１０を磁気的に吸着するための円盤形の吸着用マグネット１１が取着されている。
上記シャフト５とターンテーブル４とは、そのターンテーブル４のセンターハブ１０の嵌合孔１０ａに、シャフト５の上端部を嵌合することにより固定されている。
【０００６】
図５に示すディスク駆動装置は、シャフトの構成を除き、図４に示すものとほぼ同様の構成からなるものである。
シャフト１２は、センターハブ１０の嵌合孔１０ａの内径に一致する直径にしたディスク嵌合部１２ａを上端部に形成するとともに、これの下端部１２ｂを、ディスク嵌合部１２ａよりも小径に形成してなるものである。
【０００７】
図６に示すディスク駆動装置は、図４に示すものとほぼ同様の構成からなるものであるが、シャフト１３及びターンテーブル１４の構成が異なっているものである。
シャフト１３は、これの全長にわたり、従来のものよりも細径にした所謂ストレート形のものである。
図７にも示すように、ターンテーブル１４は、これの下面側の中心にシャフト１３の上端部を嵌合する嵌合孔１４ａを下面側に開口させて形成しかつ上面を閉じたボス部１４ｂを突設したものである。
シャフト１３とターンテーブル１４とは、ターンテーブル１４のボス部１４ｂに、シャフト１３の上端部を圧入嵌合することにより固定している。
なお、図５〜７においては、図４に示すものと同等のものについては同一の符号を付して説明を省略している。
【０００８】
【発明が解決しようとする課題】
しかしながら、図４に示すディスク駆動装置は、シャフト５をセンターハブ１０の嵌合孔１０ａの内径よりも小径にすることなく、ロータ７の外径をたんに小さくした構成にしているので、軸受けホルダ２外周面とロータ７内周面との間の間隙αを狭めることになって、その間隙α内に配設される、駆動用マグネット８と駆動用コイル６とにより形成する磁気回路の縮減を余儀なくされ、モータ特性の低下を招くものである。
【０００９】
また、図５に示すディスク駆動装置は、シャフト１２の上端部に、センターハブ１０の嵌合孔１０ａに一致する直径のディスク嵌合部１２ａを形成しているので、そのシャフト１２を、上記センターハブ１０の嵌合孔１０ａに直接嵌合でき、しかも、軸受けホルダ２外周面とロータ７内周面との間の間隙αを狭めることがないので、磁気回路の縮減、従ってまた、モータ特性を低下させることがないが、ディスク嵌合部１２ａと下端部１２ｂとの間に段差を設けなければならないために、その加工工程及び加工量が上記ストレート形のシャフト５より増加してコスト高になるとともに、その段差の加工工程においてシャフト１２の真直性が悪化し、ターンテーブル４の面振れ精度が低下する。
【００１０】
さらに、図６，７に示すディスク駆動装置は、センターハブ１０の嵌合孔１０ａの内径よりも小径にしたストレート形のシャフト１３を採用しているので、上記段差を設けた構成のシャフト１２で生ずる、真直性の悪化に起因してターンテーブル１４の面振れ精度が低下するという問題は生じない。
【００１１】
しかし、ボス部１４ｂの高さｔは、ディスクカートリッジの規格、ローディング及びアンローディングにおける各部品の高さ等から制約を受ける。
このため、ボス部１４ｂを、所要の機械的強度を保持させた肉厚にすると、シャフト１３とボス部１４ｂとの嵌合長さｔ′を十分に確保できないことになって、所要の機械的強度を確保しずらく、その結果、上記のようなターンテーブル１４の面振れ精度が低下する虞があるとともに、振動、衝撃及び環境変化による劣化が生じやすい。
【００１２】
そこで本発明は、モータ特性の悪化を回避し、また、振動、衝撃及び環境変化による劣化を生じさせることなく、ロータを無理なく小径にできるディスク駆動装置の提供を目的とするものである。
【００１３】
【課題を解決するための手段】
本発明は、全長にわたり光ディスク等のディスクのセンターハブに形成された嵌合孔の内径よりも小径に形成され且つ回転自在に支持されたシャフトと、前記シャフトを嵌合するためのシャフト嵌合孔が貫通形成され、外径を前記センターハブの嵌合孔に嵌合するように形成され且つ光ディスク等のディスクを載置するためのディスク位置決め部が突設されたターンテーブルとを備え、前記シャフトとディスク位置決め部の各上端部には、互いに同じ円錐角度のディスクガイド面が形成され、前記シャフトの上端部に、前記シャフトのディスクガイド面を前記ターンテーブルのディスク位置決め部の上方に前記シャフトの上端部が所要長さだけ突出した状態で嵌合し、前記ターンテーブルを固定するとともに、そのシャフトの周囲に駆動用コイルを配設し、また、上記ターンテーブルの下面に垂設された円筒形のロータ内周面に、上記駆動用コイルと所要の間隔を保持して駆動用マグネットを対設してなるディスク駆動装置において、前記ターンテーブルに、前記ディスクガイド面の下部に前記センターハブの嵌合孔が嵌合される嵌挿部を形成し、前記嵌挿部を、前記センターハブの嵌合孔の内径に一致する外径形状で、且つ嵌合された前記ディスクのセンターハブの嵌合孔の縁部と略一致する高さで形成し、前記シャフトとターンテーブルとを、それらのディスクガイド面どうしが隙間なく略連続して且つ略面一となるように嵌合しているものである。
これにより、シャフトを、ディスクのセンターハブに形成した嵌合孔の内径よりも小径に形成したときにも、そのシャフトの上端部に、センターハブの嵌合孔に一致した大径のディスク嵌合部を形成する必要がなく、また、シャフトとターンテーブルとの嵌合長さを十分に確保できる。
【００１６】
【発明の実施の形態】
本発明の実施の形態について、図面を参照して説明する。図１は、本発明の一実施形態に係るディスク駆動装置の部分断面図、図２は、図１に包囲線ＩＩ領域を図示する拡大図、図３は、本発明ディスク駆動装置にディスクをローディングする途中の様子を示す動作図である。
【００１７】
本発明の一実施形態に係るディスク駆動装置Ａは、前述した光ディスク等のディスク９を載置するターンテーブル１５、ベース板金１６に立設された軸受けホルダ１７内に、軸受け１８,１８を介して回転自在に支持されかつ上端部に上記ターンテーブル１５を固定したシャフト１９、上記軸受けホルダ１７の外周面に配列された駆動用コイル２０、及び上記ターンテーブル１５の下面に垂設された円筒形のロータ２１内周面に、上記駆動用コイル２０と所要の間隔を保持するようにして対設された駆動用マグネット２２を有して構成されているものである。
【００１８】
シャフト１９は、これの全長にわたり、前述したディスク９のセンターハブ１０に形成された嵌合孔１０ａの内径よりも小径にして形成されており、その上端部に、所要の円錐角度θのディスクガイド面１９ａが傾設されている。
【００１９】
ターンテーブル１５は、上記シャフト１９の外径に一致する内径のシャフト嵌合孔１５ａを形成したディスク位置決め部１５ｂを上面側に突設するとともに、そのディスク位置決め部１５ｂを中心とする円盤形の凹部１５ｃを上面に形成したものである。なお、２３は、その凹部１５ｃ内に固着された吸着用マグネットである。
【００２０】
ディスク位置決め部１５ｂは、上半部に、シャフト１９のディスクガイド面１９ａと同じ円錐角度θ′のディスクガイド面１５ｄが、また、下半部に、ディスク９のセンターハブ１０に形成されている嵌合孔１０ａの内径と一致する外径にしかつその嵌合孔１０ａの縁部に起立形成した起立片１０ｂに略一致する高さの嵌挿部１５ｅがそれぞれ形成されているものである。
【００２１】
ディスク位置決め部１５ｂの高さｔは、シャフト１９の上端部に傾設したディスクガイド面１９ａの下縁１９ａ′よりもやや低くなるように形成されているが、ディスク位置決め部１５ｂの高さｔに、シャフト１９との嵌合長さが略一致することになり、従来のものよりも十分に長く確保できるようになっている。
【００２２】
上述したシャフト１９とターンテーブル１５とは、そのシャフト１９をターンテーブル１５のディスク位置決め部１５ｂに嵌合したとき、シャフト１９のディスクガイド面１９ａが、ディスク位置決め部１５ｂのディスクガイド面１５ｄとほぼ面一となる関係にして嵌合されるようになっている。換言すると、シャフト１９側のディスクガイド面１９ａと、ディスク位置決め部１５ｂ側のディスクガイド面１５ｄとの間に段差が生じないように嵌合している。
【００２３】
次に、本発明ディスク駆動装置に、ディスク９をローディングするときの動作について説明する。
図３に示すように、本発明ディスク駆動装置に、ディスク９をローディングすると、センターハブ１０の嵌合孔１０ａが、シャフト１９のディスクガイド面１９ａからディスク位置決め部１５ｂのディスクガイド面１５ｄに摺接しながら移動し、ターンテーブル１５の上面に向けて次第に下降するが、このとき、ディスク９の嵌合孔１０ａが、互いに同じ円錐角度θ，θ′にして形成されたディスクガイド面１９ａからディスクガイド面１５ｄに沿って円滑にガイドされる。
そして、嵌挿部１５ｅに嵌装されることにより位置決めされた状態で、ターンテーブル１５の上面に載置されるととに、センターハブ１０が吸着マグネット２３により磁気的に吸着された状態になる。
【００２４】
なお、本発明は前述した実施形態に限るものではなく、その要旨の範囲内で様々な変形実施が可能である。
上記においては、シャフトとディスク位置決め部の各上端部に、互いに同じ円錐角度のディスクガイド面を形成した例について説明したが、ディスクを円滑にガイドすることができる程度に互いに異なる円錐角度にして形成してもよい。
【００２５】
【発明の効果】
本発明によれば、次の効果を得ることができる。
回転自在に支持されたシャフトの上端部に、光ディスク等のディスクを載置するためのターンテーブルを固定するとともに、そのシャフトの周囲に駆動用コイルを配設し、また、上記ターンテーブルの下面に垂設された円筒形のロータ内周面に、上記駆動用コイルと所要の間隔を保持して駆動用マグネットを対設してなる構成において、シャフトを、これの全長にわたり、ディスクのセンターハブに形成した嵌合孔の内径よりも小径に形成しているので、駆動用マグネットと駆動用コイルとにより形成する磁気回路を縮減することなく、ロータを無理なく小径にできる。
【００２６】
また、シャフトを、ディスクのセンターハブに形成した嵌合孔の内径よりも小径に形成したときにも、そのシャフトの上端部に、センターハブの嵌合孔に一致した大径のディスク嵌合部を形成する必要がなく、しかも、シャフトとターンテーブルとの嵌合長さを十分に確保できるので、モータ特性の低下を回避できるとともに、振動、衝撃及び環境変化による劣化を生じさせることがない。
【００２７】
また、本発明によれば、シャフトとディスク位置決め部の各上端部に、互いに同じ円錐角度のディスクガイド面が形成されており、シャフトとターンテーブルとを、ディスク位置決め部に嵌入したシャフトのディスクガイド面を、そのターンテーブルのディスク位置決め部の上方に突出させて嵌合しているので、ローディングされるディスクを、各ディスクガイド面に沿って円滑にガイドすることができる。
【００２８】
さらに、本発明によれば、シャフトとターンテーブルとが、それらのディスクガイド面どうしが略面一となるようにして嵌合されているので、ディスクのローディング等を一層円滑に行うことができる。
【図面の簡単な説明】
【図１】本発明の一実施形態に係るディスク駆動装置の部分断面図である。
【図２】図１に包囲線ＩＩ領域を図示する拡大図である。
【図３】本発明ディスク駆動装置にディスクをローディングする途中の様子を示す動作図である。
【図４】従来のディスク駆動装置の一例を示す半断面図である。
【図５】従来のディスク駆動装置の他例を示す部分断面図である。
【図６】従来のディスク駆動装置のさらに他例を示す部分断面図である
【図７】図６に包囲線Ｉで示す部分の拡大図である。
【符号の説明】
９              ディスク
１０            センターハブ
１０ａ          嵌合孔
１５            ターンテーブル
１５ａ          シャフト嵌合孔
１５ｂ          ディスク位置決め部
１５ｃ，１９ａ  ディスクガイド面
１９            シャフト
２０            駆動用コイル
２１            ロータ
２２            駆動用マグネット
【図１】
0003681337.tif 000002
【図２】
0003681337.tif 000003
【図３】
0003681337.tif 000004
【図４】
0003681337.tif 000005
【図５】
0003681337.tif 000006
【図６】
0003681337.tif 000007
【図７】
0003681337.tif 000008